(57)【要約】【課題】補助錠を簡単に高い防犯性をもって取付け可能にする。【解決手段】横框に形成される取付孔の上辺と下辺に長手方向に隔てた切欠を設ける。補助錠のケースの上面壁と下面壁にケース正面の上下の鍔との間に横框の肉厚と等しい間隙をおいてかつケースの長手方向に切欠の間隔と等しい間隔をもって突起を設けるとともに、ケースの上面壁と下面壁の少なくとも一方に、戸尻側突起よりもさらに前記戸尻側框に近い位置であって前記鍔と突起との間の間隙の延長上に弾性を有する係止突起を設けてなる。取付孔の正面から各切欠に補助錠のケースの各突起を挿通し、ケースの鍔を横框の室内側壁の正面に当接させ、係止突起を弾性変形させる。補助錠を引戸の戸先方向にスライドして、鍔と各突起の間に取付孔の上辺と下辺を挟み込み、かつ、係止突起を切欠のうち戸尻側切欠に弾性復元により嵌合係止させるようにした。【選択図】      図１
2004360313.tif 000002
【特許請求の範囲】
【請求項１】
引戸の横框の室内側壁に上辺と下辺の長手方向に隔てた位置に切欠を形成した取付孔を設け、補助錠のケースの上面壁と下面壁に、前記ケース正面の上下の鍔との間に前記横框の肉厚と等しい間隙をおいてかつケースの長手方向に前記上下の切欠の間隔と等しい間隔をもって突起を設けるとともに、前記ケースの上面壁と下面壁の少なくとも一方に、前記突起のうち前記引戸の戸尻側框に近い突起よりもさらに前記戸尻側框に近い位置であって、前記鍔と突起との間の間隙の延長上に弾性を有する係止突起を設けてなり、
前記取付孔の正面からその取付孔の各切欠に前記ケースの各突起を挿通し、その際、前記係止突起を弾性変形させ、前記鍔を前記横框の室内側壁の正面に当接した状態でそのケースを前記引戸の戸先方向にスライドして、前記鍔と各突起の間に前記取付孔の上辺と下辺を挟み込み、かつ、前記係止突起を前記切欠のうち前記戸尻側框に近い切欠に弾性復元により嵌合係止させることを特徴とする窓サッシ等の補助錠の取付構造。
【請求項２】
取付孔の切欠及びケースの係止突起のそれぞれの位置は、前記ケースを戸先方向にスライドさせた時に、そのケースの戸先側面が取付孔の戸先側辺に密着されるように設定されていることを特徴する請求項１に記載された窓サッシ等の補助錠の取付構造。
【発明の詳細な説明】
【０００１】
【発明の属する技術分野】
本発明は、窓サッシ等の補助錠の引戸の横框に対する取付構造に関する。
【０００２】
【従来の技術】
引戸を建て付けた窓サッシには、通常、防犯のためにクレセント錠が取付けられるが、屋外側からガラス板の一部を破損してクレセント錠を不正に解錠される恐れがあるので、防犯性強化のため、クレセント錠と二重で施錠される二つ目の錠として補助錠（以下、この種の補助錠を二重施錠用補助錠と言う場合がある。）が用いられることがある。また、クレセント錠を施錠したままでは十分な換気ができないので、引戸を人が侵入できない程度の距離だけ開けて十分な換気ができるとともに、それ以上は開けることができないように引戸をロックする換気用補助錠が、クレセント錠に加えて取付けられる場合がある。
【０００３】
このような補助錠は、一般的に引戸の横框に取付けられるケースと、そのケースの中に収容されたストッパと、そのストッパを出没自在に支持する軸と、ストッパをケース内に没入された解錠位置及びストッパをケースから突出された施錠位置に係止する係止部材とを最少構成部材としている。そして、ケースは周囲に鍔を有する正面板と、その正面板の裏面に設けられ、主要構成部材を収容する箱とからなっている。
【０００４】
補助錠は、防犯性確保のため、取付ねじが引戸横框の室内側面に露出することがないように取付けられる。図５〜７は、補助錠ＳＬ１が戸尻側框に近接して取付けられる場合の従来の取付構造の一例を示す。図５は二重施錠型補助錠が取付けられたサッシの要部斜視図、図６は補助錠の展開図であり（ａ）は正面図、（ｂ）は平面図、（ｃ）は横断面図である。図７は横框に設けられる取付孔の一例を示す正面図である。図８は補助錠を取付けた状態における引戸の一部の横断面図である。
【０００５】
補助錠ＳＬは一般に、図５に示すように、外側引戸１００の下框１０１の室内側壁の戸尻側縦框（召合せ框）１０２に近接した位置取付けられているが、この場合の補助錠ＳＬ１は、図６に示すようにケース１は正面の正面板１´の裏面に箱１”が形成され、その箱の中に支軸３によりストッパ２がケースの正面開口から出没自在に支持され、箱１”の中にはストッパ２を突出された施錠位置と、没入された解錠位置戸にそれぞれ係止する係止部材４が設けてある。そして、正面板１´は周辺に鍔１ａを有し、箱１”の上面壁と下面壁には鍔１ａから下框１０１の室内側壁の肉厚と等しい間隔をおいて複数個の突起１ｂが設けられている。
【０００６】
一方、図７に示すように、下框１０１の室内側壁には、下框の中空部と室内方向及び戸尻側端部に開口されている取付孔１０３が形成されている。そして、補助錠ＳＬ１を図７に矢印Ａで示すように、取付孔１０３の戸尻側端部の開口から戸先方向に移動して、図８に示すように、ケースの鍔２ａと各突起１ｂの間の隙間に取付孔の上辺と下辺を挿通させ、箱の戸先側面を取付孔の戸先側辺に密着させた状態で、その下框１０１に縦框１０２を結合することにより、補助錠ＳＬを取付けている。なお、図５，７において２００は内側引戸である。
【０００７】
【発明が解決しようとする課題】
上記のように従来は、横框（下框又は上框）の一端面に開口する取付孔に補助錠を嵌合し、縦框を結合して初めて補助錠が固定されるので、取付けられるまでの間の補助錠の保管及び取付タイミングの管理が面倒であった。また、図９に示すように、縦框１０２から１５ｃｍ程度離した位置に取付けられる換気用補助錠ＳＬの場合は、図７に示すような横框の一端部に開口する取付孔を用いることができないので、上記取付構造を採用することができない。
【０００８】
本発明は、上記の点に鑑みてなされたものであり、その課題は、補助錠が二重施錠用補助錠と換気用補助錠のいずれの場合にも、横框の縦框との結合の前後を問わず、横框の正面側から容易にかつ高い防犯性をもって取付けることができる補助錠の取付構造を提供することにある。
【０００９】
【課題を解決するための手段】
上記課題を解決するため、本発明による補助錠の取付構造は、引戸の横框の室内側壁に上辺と下辺の長手方向に隔てた位置に切欠を形成した取付孔を設け、補助錠のケースの上面壁と下面壁に、前記ケース正面の上下の鍔との間に前記横框の肉厚と等しい間隙をおいてかつケースの長手方向に前記上下の切欠の間隔と等しい間隔をもって突起を設けるとともに、前記ケースの上面壁と下面壁の少なくとも一方に、前記突起のうち前記引戸の戸尻側框に近い突起よりもさらに前記戸尻側框に近い位置であって、前記鍔と突起との間の間隙の延長上に弾性を有する係止突起を設けてなること、そして、前記取付孔の正面からその各切欠に補助錠のケースの各突起を挿通し、その際、係止突起を弾性変形させ、鍔を横框の室内側壁の正面に当接した状態でその補助錠を引戸の戸先方向にスライドして、鍔と各突起の間に取付孔の上辺と下辺を挟み込み、かつ、係止突起を切欠のうち戸尻側框に近い切欠に弾性復元により嵌合係止させることを特徴としている。
上記構成により、補助錠を横框の室内側から取付孔に嵌合し、ケースの鍔を横框に当接した状態で戸先方向にスライドすると、鍔と突起の間に横框の室内側壁が挟み込まれ、かつ、係止突起が取付孔の戸尻側の切欠に嵌合係止されて固定される。従って、補助錠は、これを横框の取付孔に嵌合し、戸先方向にスライドするだけで、簡単にしかも抜脱不能に取付けられる。
【００１０】
取付孔の切欠及びケースの係止突起のそれぞれの位置は、ケースを戸先方向にスライドさせた時にそのケースの箱の戸先側面が取付孔の戸先側辺に密着されるように設定されていることが望ましい。このような構成とすることにより、補助錠が施錠状態にある時に引戸が開放されたときストッパに戸先方向の大きな力が加わる場合、ケースの箱の戸先側面が取付孔の戸先側辺に密着されているので、補助錠はその力に耐えることができる。
【００１１】
【発明の実施の形態】
次に、本発明の実施の形態について図面に基づいて説明する。図示の例は、本発明を換気用補助錠に適用した場合のものであるが、本発明は二重施錠用補助錠にも同様に適用可能である。
図１は本発明による補助錠の取付構造を示す分解斜視図、図２は補助錠の平面図、図３は補助錠の取付けをし始めた状態における補助錠と取付孔の位置関係を示す図であり、（ａ）は正面図、（ｂ）は（ａ）のＸ−Ｘ線断面図、図４は補助錠を取付孔に対する取付終了時における補助錠と取付孔の位置関係を示す図である。
【００１２】
本発明による補助錠の取付構造は、図１に示すように、引戸１００の横框に設けられる取付孔１１の構造と、その取付孔に取付けられる補助錠ＳＬｎの構造とから構成されている。この場合、引き戸の横框は、下框、中桟、上框のいずれでも良いが、図１は下框１０１の場合を示す。
【００１３】
取付孔１０には、その上辺と下辺の長手方向両端からそれぞれ所定距離内側に寄った複数の位置に所定間隔をおいて切欠１１ａ，１１ｂ；１２ａ，１２ｂが形成されている。戸尻側の切欠１１ｂ，１２ｂは、戸先側の切欠１１ａ，１２ａよりも若干幅が大きくされている。
【００１４】
補助錠ＳＬｎは、基本的には従来品と同様に、正面の正面板２１の背面に箱２２を有するケース２０と、そのケース内に垂直軸２４回りに回動してケースの正面の開口２３から出没自在に設けられたストッパ２５とを少なくとも有している。補助錠は、図示されていないが、正面板の正面に鍵穴を有するシリンダー錠を備え、そのシリンダー錠を所定の鍵で回転することにより、ストッパ２５を突出状態（施錠位置）にロックするようにしたものであっても構わない。
【００１５】
正面板２１は、その周辺に箱２２の外周面から突出する鍔２１ａを有している。して、箱２２の上面壁と下面壁には、ケースの長手方向に所定の距離を隔てた位置に、鍔２１ａとの間に下框１０１の室内側壁１０１ａの肉厚と等しい間隙をもって複数の突起２６ａ，２６ｂ；２７ａ，２７ｂが設けられている。この場合、箱２２の戸先側面から戸先側突起２６ａ，２７ａまでの距離は取付孔１０の戸先側辺から戸先側切欠１１ａ，１２ａまでの距離と等しく、突起２６ａ，２６ｂ間及び２７ａ，２７ｂ間距離はそれぞれ取付孔１０の切欠１１ａ，１１ｂ間距離及び；１２ａ，１２ｂ間距離と等しく設定されている。
【００１６】
また、補助錠のケースの上面と下面の少なくとも一方、すなわち、箱２２の上面壁と下面壁の少なくとも一方には、戸尻側突起２６ｂ，２７ｂよりも僅かに戸尻側に寄った位置に、正面板２１と突起２６ａ，２６ｂ；２７ａ，２７ｂとの間の間隙を結ぶ線上において、弾性を有する係止突起２８が設けられている。弾性を備えるため、係止突起の周囲にコ字形のスリット２９が形成されている。そして、係止突起２８は、ほぼ平面矩形に形成され、その対角線よりもケース背面側の部分にはケースの背面側から正面方向に上り傾斜する第１テーパ２８ａを、同対角線よりもケースの戸先側部分には戸先側から戸尻方向に上り傾斜する第２テーパ２８ｂを有している。係止突起２８の高さは最大、戸尻側突起２６ｂ，２７ｂの高さと等しくされている。
【００１７】
取付孔１０及び補助錠ＳＬｎの上記新規構成による補助錠取付時の作用を続いて説明する。図３（ｂ）に示すように、補助錠ＳＬｎのケース２０を下框１０１の取付孔１０に位置合わせし、箱２２を取付孔１０に挿入して、上下の突起２６ａ，２６ｂ；２７ａ，２７ｂを取付孔の上下の切欠１１ａ，１１ｂ；１２ａ，１２ｂに挿通し、正面板２１の鍔２１ａを下框１０１の室内側面に当接する。この場合、係止突起２８の第１テーパ２８ａが取付孔１０の上辺（及び／又は下辺）に押下されて箱２２の内側に向けて弾性変形され、その上辺（及び／又は下辺）弾力的に押している。
【００１８】
次に、その補助錠ＳＬｎを戸先方向（図３，４においては左方向）に押してスライドさせる。この時、ケース２０の箱２２の戸先側面が取付孔１０の戸先側辺に当たって止められる。その過程で、下框１０１の室内側壁１０ａの肉厚がス２０の正面板２１の鍔２１ａと各突起２６ａ，２６ｂ；２７ａ，２７ｂの間に挟み込まて、ケースは下框の室内外方向には移動不能に固定される。また、係止突起２８はケースのと先方向スライドの際に取付孔の上辺（及び／又は下辺）から切欠１１ｂ（及び／又は１２ｂ）まで移動された時に、弾性変形されていた係止突起が切欠１１ｂ（及び／又は１２ｂ）内に復帰するため、ケース２０は戸尻方向にも移動不能に固定される。従って、補助錠は引戸の室内外方向にも戸先及び戸尻方向にも抜脱不能に固定されるので、高い防犯性をもって取付けられる。
【００１９】
上記のように取付けられるので、補助錠が施錠状態、すなわちストッパが突出されている状態で引戸にさらに開放方向の力が加えられた場合は、内側引戸の召合せ框からストッパを介して補助錠のケース２０に戸先方向の力が作用するが、ケースはその戸先側面が取付孔の戸先側辺に密着しているので、ケースが移動されることなく、堅固に耐えることができる。
【００２０】
【発明の効果】
本発明によれば、上述のように補助錠を横框の室内側から取付孔に嵌合し、ケースの鍔を横框に当接した状態で戸先方向にスライドすると、鍔と突起の間に横框の室内側壁が挟み込まれ、かつ、係止突起が取付孔の戸尻側の切欠に嵌合係止されて固定されるので、補助錠はこれを横框の取付孔に嵌合し、戸先方向にスライドするだけで、簡単にしかも高い防犯性をもって取付けることができる。また、横框を縦框に結合する前後を問わず、補助錠の取付けが可能であり、補助錠及び取付タイミングの管理の繁雑さが解消される。
【図面の簡単な説明】
【図１】本発明による補助錠の取付構造を示す分解斜視図。
【図２】補助錠の平面図。
【図３】補助錠の取付けをし始めた状態における補助錠と取付孔の位置関係を示す図であり、（ａ）は正面図、（ｂ）は（ａ）のＸ−Ｘ線断面図。
【図４】補助錠を取付孔に対する取付終了時における補助錠と取付孔の位置関係を示す図。
【図５】従来の取付構造により二重施錠型補助錠が取付けられたサッシの要部斜視図。
【図６】従来技術における補助錠の展開図であり（ａ）は正面図、（ｂ）は平面図、  （ｃ）は横断面図。
【図７】従来技術における横框に設けられる取付孔の一例を示す正面図。
【図８】従来の取付構造による補助錠の取付状態における引戸の一部の横断面図。
【図９】換気用補助錠の取付状態を示すサッシの要部の斜視図。
【符号の説明】
１０      取付孔
１１ａ，１１ｂ，１２ａ，１２ｂ      切欠
ＳＬ      補助錠
２０      ケース
２５      ストッパ
２１ａ    鍔
２６ａ，２６ｂ，２７ａ，２７ｂ      突起
２８      係止突起
【図１】
2004360313.tif 000003
【図２】
2004360313.tif 000004
【図３】
2004360313.tif 000005
【図４】
2004360313.tif 000006
【図５】
2004360313.tif 000007
【図６】
2004360313.tif 000008
【図７】
2004360313.tif 000009
【図８】
2004360313.tif 000010
【図９】
2004360313.tif 000011